【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
水圧流装置を備える回遊魚通路システムであって、前記水圧流装置は
内部に水流を通すように構成された上昇管（３）と、
取水するように構成された取水管（１）と、
前記上昇管（３）と前記取水管（１）を接続するための分岐部品であって、
下流位置にあり魚が進入する供給点（２）の前記分岐部品から、前記下流位置よりもより高い位置にある上流位置の出口点（５）まで、前記上昇管（３）中には水流があり、
前記分岐部品は前記上昇管（３）と前記取水管（１）の水流を合流させて、前記供給点（２）から前記出口点（５）へ向かう前記上昇管（３）中の水流を構成する、分岐部品と、
前記上昇管（３）中の水流と前記取水管（１）中の水流を制御するための、前記分岐部品に備わる弁システムと
を備え、
前記供給点は前記分岐部品に備わり、魚が回遊魚通路に進入して前記上昇管（３）に誘導されるようなアクセスを提供し、前記上昇管（３）は前記上昇管の中の水流をガイド、輸送して、前記回遊魚通路から魚を排出して、前記出口点（５）まで前記上昇管（３）の水流を残すように構成される、
回遊魚通路システム。
【請求項２】
回遊魚通路を備える水圧流装置であって、前記水圧流装置は河床の水流が上流方向の流れ障壁を通過するように前記水圧流装置を通る水流を方向付けるように構成され、前記水圧流装置は取水管（１）を備え、
前記取水管（１）は、ダム（４）に対して上流の位置からの水を取り入れて、取水点（１２）から前記ダム（４）に対して下流の位置に向かって、供給点（２）の分岐部品まで水を流すように構成され、前記供給点（２）には魚ゲートが配置されて、前記河床の上流の上昇管（３）の中の魚を輸送して、前記供給点（２）から出口点（５）までのアクセスを魚に提供するように構成され、前記取水点（１２）は前記出口点（５）よりも高い水位にあり、前記上昇管（３）の中の水流は、前記供給点（２）の前記分岐部品のある下流の位置から前記出口点（５）のある上流の位置に向かって流れており、前記出口点（５）は魚が進入する前記供給点（２）のある下流よりも高い上流の位置に存在し、前記分岐部品は前記上昇管（３）の流れと前記取水管の流れを連結して前記供給点（２）から前記出口点（５）への上昇管の中の流れを構成する、
水圧流装置。
【請求項３】
前記供給点（２）にある前記魚ゲートは近くの魚の存在の検出開始に応答して、開放するように設定されていることを特徴とする、請求項２に記載の水圧流装置。
【請求項４】
前記供給点（２）に魚を引き寄せるための誘引水のための手段が存在し、前記手段は誘引水（１０）を前記供給点（２）に給水するように構成されていることを特徴とする、請求項２に記載の水圧流装置。
【請求項５】
前記供給点（２）から前記出口点（５）に向かって水を供給するために前記上昇管（３）内への吸引流を生成するための放出器形成体部品（６０２）を前記供給点（２）位置に備えることを特徴とする、請求項２に記載の水圧流装置。
【請求項６】
前記取水管（１）は、前記管（１）の管状流の少なくとも圧力損失を補償するためのポンプ（７）を備えることを特徴とする、請求項２に記載の水圧流装置。
【請求項７】
前記ポンプ（７）は、前記取水管（１）における圧力を上昇させるために前記取水点（１２）またはその近くに配置されていることを特徴とする、請求項６に記載の水圧流装置。
【請求項８】
ダムを通すように回遊魚をガイドするためのシステムであって、前記システムは
内部に水流を通すように構成された上昇管（３）と、
取水するように構成された取水管（１）と、
前記上昇管（３）と前記取水管（１）を接続するための分岐部品であって、
下流位置にあり魚が進入する供給点（２）の前記分岐部品から、前記下流位置よりもより高い位置にある上流位置の出口点（５）まで、前記上昇管（３）中には水流があり、
前記分岐部品は前記上昇管（３）と前記取水管（１）の水流を合流させて、前記供給点（２）から前記出口点（５）へ向かう前記上昇管（３）中の水流を構成する、分岐部品と、
を備え、
前記供給点は前記分岐部品に備わり、魚が回遊魚通路に進入して前記上昇管（３）に誘導されるようなアクセスを提供し、前記上昇管（３）は前記上昇管の中の水流をガイド、輸送して、前記回遊魚通路から魚を排出して、前記出口点（５）まで前記上昇管（３）の水流を残すように構成され、
前記システムはさらに、
サイフォン管（１３４）および弁システムを備え、
前記サイフォン管（１３４）は回遊魚戻り経路を構成するために前記ダム（４）に対して上流（２１７Ｂ）の位置から前記ダム（４）に対して下流（２１７Ａ）の位置まで構成され、
前記上昇管（３）、前記取水管（１）および前記サイフォン管（１３４）のうち少なくとも１つは魚を上流および／または下流に輸送するために水圧流装置が配置された河川システムによって検知された魚のサイズに基づき、サイズ決めされており、
前記弁システムは前記上昇管（３）中の水流と前記取水管（１）中の水流を制御するため前記分岐部品に備わる、
システム。
【請求項９】
前記システムは、魚が通過できるように構成されたゲート（１３３）をさらに備え、
前記システムはセンサ（１３２）により少なくとも以下の１つの場合が生じたことを検出したときに、流れ方向に管内の流れを開放するように構成される：
−魚が前記サイフォン管（１３４）の上流位置にある前記ゲートにおいてまさに下流に行こうとしている場合；
−魚が前記サイフォン管（１３４）の下流位置にある前記ゲートにおいてまさに前記サイフォン管から出て下流に行こうとしている場合；
−魚が前記上昇管（３）の下流位置にある前記ゲートにおいてまさに前記上昇管（３）の中に入ろうとしている場合；および
−魚が前記上昇管（３）の上流位置にある前記ゲートにおいてまさに前記上昇管（３）から出ようとしている場合、および／または魚が前記上昇管およびサイフォン管のうちの少なくとも１つである管の中間位置、すなわち前記管の上流位置と下流位置との間にあるようなゲートにいる場合、
請求項８に記載のシステム。
【請求項１０】
前記システムはゲートにセンサ（１３２）をさらに備え、
前記センサは前記ゲートが前記管の開放を開始する閾値に基づいて、前記ゲートの開放を開始する距離に魚の存在を検知する、
請求項８に記載のシステム。
【請求項１１】
前記システムが魚案内形成体（Ｇ）を前記上昇管（３）、前記取水管（１）、およびサイフォン管（１３４）のうち１つの端部に備え、
前記魚案内形成体（Ｇ）は魚を前記上昇管（３）、前記取水管（１）、およびサイフォン管（１３４）のうち少なくとも１つに入るようにガイドし、かつ前記上昇管（３）、前記取水管（１）、およびサイフォン管（１３４）のうち少なくとも１つから出るようにガイドし、および／またはタービントンネルに魚が進入するのを防止するように構成される、
請求項８に記載のシステム。
【請求項１２】
沈み木がタービントンネルに入ったりシステム要素を損傷したりするのを防止するために河床底に底形成体を備えることを特徴とする、請求項８に記載のシステム。
【請求項１３】
ダム、発電機、別の流れ障壁、魚梯、河川水路、河川水、河床、前記システムから捕獲された魚、ネット、ガイド、捕獲ネット、水および／または魚のための試料採取インターフェイス、そのような試料採取インターフェイスの一部、魚計数装置もしくはその一部、魚の撮像装置のうちの少なくとも１つをさらに備え、静止画像を撮るための前記撮像装置および／またはビデオを撮影するための装置に、水力発電所、水車場、水流エネルギーを利用するための装置、前記水流エネルギーを利用するためのユーティリティプラント、ポンプ、機械式流れエネルギー生成装置などの前記ポンプへのエネルギーを生成するための生成装置、発電装置、タービン、タービントンネル、骨材、回遊魚通路装置（ＭＦＰＵ）、逆方向の回遊魚通路装置（ＵＰＦＭ）および／または燃焼ユーティリティ、燃焼機関、ゲート（１３３）位置における魚の近接を検知するための魚センサ（１３２）、ゲート位置における魚の近接を検知するための前記魚センサの開始に従って応答可能に開放および／または閉鎖するように構成されている自動ゲートをさらに備えることを特徴とする、請求項８に記載のシステム。
【請求項１４】
前記システムの管内の魚のために酸素を確保するための通気装置および／または酸素発生器をさらに備えることを特徴とする、請求項８に記載のシステム。
【請求項１５】
回遊魚通路装置（MFPU）または逆方向の回遊魚通路装置（UPFM）を備える、請求項１に記載のシステム。
【請求項１６】
前記河床の前記ダムが流れ障壁である、請求項２に記載の水圧流装置。
【請求項１７】
前記供給点に誘引水を供給する誘引水供給システムを備える請求項３に記載の水圧流装置。